(57)【要約】【課題】キセノン分圧が高く発光効率の高いパネルであっても安定した書込みが可能となるプラズマディスプレイパネルの駆動方法を提供する。【解決手段】１フィールドを構成する各サブフィールドの初期化期間は、画像表示を行う全ての放電セルに対して初期化放電を行わせる全セル初期化動作、または直前のサブフィールドにおいて維持放電を行った放電セルに対して選択的に初期化放電を行わせる選択初期化動作のいずれかの動作を行い、パネルのキセノン分圧に基づいて、前記サブフィールドの各々の初期化期間における初期化動作を全セル初期化動作または選択初期化動作のいずれかに決定する。【選択図】図５
2006195328.tif 000002
【特許請求の範囲】
【請求項１】
走査電極および維持電極とデータ電極との交差部に放電セルを形成し、前記放電セル内に少なくともキセノンを含む放電ガスを有するプラズマディスプレイパネルの駆動方法であって、
１フィールド期間が初期化期間、書込み期間および維持期間を有する複数のサブフィールドから構成され、
前記複数のサブフィールドの初期化期間は、画像表示を行う全ての放電セルに対して初期化放電を行わせる全セル初期化動作、または直前のサブフィールドにおいて維持放電を行った放電セルに対して選択的に初期化放電を行わせる選択初期化動作のいずれかの動作を行い、
かつ放電ガスのキセノン分圧に基づいて、前記サブフィールドの各々の初期化期間における初期化動作を全セル初期化動作または選択初期化動作のいずれかに決定することを特徴とするプラズマディスプレイパネルの駆動方法。
【請求項２】
前記キセノン分圧が低いときは全セル初期化動作を行う初期化期間を有するサブフィールドの数を減らし、前記キセノン分圧が高いときは全セル初期化動作を行う初期化期間を有するサブフィールドの数を増やすことを特徴とする請求項１に記載のプラズマディスプレイパネルの駆動方法。
【請求項３】
全セル初期化動作を行う初期化期間を有するサブフィールドに続くサブフィールドは、選択初期化動作を行う初期化期間を有するサブフィールドであること特徴とする請求項２に記載のプラズマディスプレイパネルの駆動方法。
【請求項４】
走査電極および維持電極とデータ電極との交差部に放電セルを形成し、前記放電セル内に少なくともキセノンを含む放電ガスを有するプラズマディスプレイパネルの駆動方法であって、
１フィールド期間が初期化期間、書込み期間および維持期間を有する複数のサブフィールドから構成され、
前記複数のサブフィールドの初期化期間は、画像表示を行う全ての放電セルに対して初期化放電を行わせる全セル初期化動作、または直前のサブフィールドにおいて維持放電を行った放電セルに対して選択的に初期化放電を行わせる選択初期化動作のいずれかの動作を行い、
かつ放電ガスのキセノン分圧および画像信号のＡＰＬに基づいて、前記サブフィールドの各々の初期化期間における初期化動作を全セル初期化動作または選択初期化動作のいずれかに決定することを特徴とするプラズマディスプレイパネルの駆動方法。
【発明の詳細な説明】
【技術分野】
【０００１】
本発明はプラズマディスプレイパネルの駆動方法に関する。
【背景技術】
【０００２】
プラズマディスプレイパネル（以下、パネルと略記する）として代表的な交流面放電型パネルは、対向配置された前面板と背面板との間に多数の放電セルが形成されている。前面板は、１対の走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで表示電極とデータ電極とが対向する部分に放電セルが形成される。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としてはサブフィールド法、すなわち、１フィールド期間を複数のサブフィールドに分割した上で、発光させるサブフィールドの組み合わせによって階調表示を行う方法が一般的である。また、サブフィールド法のなかでも、階調表現に関係しない発光を極力減らしてコントラスト比を向上した新規な駆動方法が特許文献１に開示されている。
【０００４】
図７は特許文献１に記載された従来のパネルの駆動波形図である。以下、この駆動波形について説明する。１フィールド期間は、初期化期間、書込み期間および維持期間を有するＮ個のサブフィールドで構成されているものとし、それぞれ第１ＳＦ、第２ＳＦ、・・・、第ＮＳＦと略記する。以下に説明するように、これらＮ個のサブフィールドのうち、第１ＳＦを除くサブフィールドでは、前のサブフィールドの維持期間中に点灯した放電セルでのみ初期化動作を行うようにしている。
【０００５】
第１ＳＦの初期化期間の前半部では、走査電極に緩やかに上昇するランプ電圧を印加することにより微弱放電を起こし、書込み動作に必要な壁電荷を各電極上に形成する。このとき後で壁電荷の最適化を図ることを見越して過剰に壁電荷を形成しておく。そして、続く初期化期間の後半部では、走査電極に緩やかに下降するランプ電圧を印加することにより再び微弱放電を起こし、各電極上に過剰に蓄えられた壁電荷を弱め、各々の放電セルに対して適切な壁電荷に調整する。このように、第１ＳＦの初期化動作は上述したように書込み動作に必要な壁電荷を形成する働きを持つが、加えて、放電遅れを小さくし書込み放電を安定して発生させるためのプライミング（放電のための起爆剤＝励起粒子）を発生させるという働きをも合せ持っている。
【０００６】
第１ＳＦの書込み期間では、表示を行うべき放電セルにおいて書込み放電を起こす。そして、第１ＳＦの維持期間では、走査電極および維持電極に維持パルスを印加し、書込み放電を起こした放電セルにおいて維持放電を起こし、対応する放電セルの蛍光体層を発光させることにより画像表示を行う。
【０００７】
続く第２ＳＦの初期化期間では、第１ＳＦの初期化期間後半部と同様の駆動波形、すなわち走査電極に緩やかに下降するランプ電圧を印加する。これは、書込み動作に必要な壁電荷形成を維持放電と同時に行うため、初期化期間の前半部を独立に設ける必要がないからである。したがって、第１ＳＦにおいて維持放電を行った放電セルは微弱放電を起こし、各電極上に過剰に蓄えられた壁電荷を弱め、各々の放電セルに対して適切な壁電荷に調整する。また、維持放電を行わなかった放電セルは第１ＳＦの初期化期間終了時における壁電荷が保たれており、放電することはない。
【０００８】
このように、第１ＳＦの初期化動作は全ての放電セルを放電させる全セル初期化動作であり、第２ＳＦ以降の初期化動作は維持放電を行った放電セルのみ初期化する選択初期化動作である。したがって、表示に関係のない発光は第１ＳＦの初期化の微弱放電のみとなりコントラストの高い画像表示が可能となる。
【特許文献１】特開２０００−２４２２２４号公報
【発明の開示】
【発明が解決しようとする課題】
【０００９】
近年、消費電力削減や輝度向上の要求に応えるために、パネルの構造やパネル材料等に対する検討が活発になされている。なかでも、パネルに封入されている放電ガスのキセノン分圧を増加させることによりパネルの発光効率が向上することが一般に知られている。しかしながら上述のパネルおよびその駆動方法においてキセノン分圧を増加させると放電遅れが長くなる傾向があり、書込み放電が不安定になり、書込み不良を生じ画像表示品質を低下させるおそれがあるという課題があった。
【００１０】
本発明のパネルの駆動方法は、上記の課題に鑑みなされたものであり、キセノン分圧が高く発光効率の高いパネルであっても安定した書込みが可能となるパネルの駆動方法を提供することを目的とする。
【課題を解決するための手段】
【００１１】
本発明は走査電極および維持電極とデータ電極との交差部に放電セルを形成し放電セル内に少なくともキセノンを含む放電ガスを有するパネルの駆動方法であって、１フィールド期間が初期化期間、書込み期間および維持期間を有する複数のサブフィールドから構成され、複数のサブフィールドの初期化期間は画像表示を行う全ての放電セルに対して初期化放電を行わせる全セル初期化動作または直前のサブフィールドにおいて維持放電を行った放電セルに対して選択的に初期化放電を行わせる選択初期化動作のいずれかの動作を行い、かつ放電ガスのキセノン分圧に基づいてサブフィールドの各々の初期化期間における初期化動作を全セル初期化動作または選択初期化動作のいずれかに決定することを特徴とする。この方法によれば、キセノン分圧が高く発光効率の高いパネルであっても安定した書込みが可能となるパネルの駆動方法を提供することができる。
【００１２】
また、本発明のパネルの駆動方法は、キセノン分圧が低いときは全セル初期化動作を行う初期化期間を有するサブフィールドの数を減らし、キセノン分圧が高いときは全セル初期化動作を行う初期化期間を有するサブフィールドの数を増やすことが望ましい。この方法によって、キセノン分圧が高く発光効率の高いパネルであっても安定した書込みが可能となるパネルの駆動方法を提供することができる。
【００１３】
また、全セル初期化動作を行う初期化期間を有するサブフィールドに続くサブフィールドは、選択初期化動作を行う初期化期間を有するサブフィールドであることが望ましい。これにより、全セル初期化動作を行う初期化期間を有するサブフィールドが連続して配置されることがなくなるため、全セル初期化動作を行う初期化期間を有するサブフィールドの回数が少ない場合であっても、１フィールド期間にわたって効率よくプライミング効果を得ることができる。
【００１４】
また、本発明は走査電極および維持電極とデータ電極との交差部に放電セルを形成し放電セル内に少なくともキセノンを含む放電ガスを有するパネルの駆動方法であって、１フィールド期間が初期化期間、書込み期間および維持期間を有する複数のサブフィールドから構成され、複数のサブフィールドの初期化期間は画像表示を行う全ての放電セルに対して初期化放電を行わせる全セル初期化動作または直前のサブフィールドにおいて維持放電を行った放電セルに対して選択的に初期化放電を行わせる選択初期化動作のいずれかの動作を行い、かつ放電ガスのキセノン分圧および画像信号のＡＰＬに基づいてサブフィールドの各々の初期化期間における初期化動作を全セル初期化動作または選択初期化動作のいずれかに決定してもよい。この方法によって、キセノン分圧が高く発光効率の高いパネルであっても安定した書込みが可能となるだけでなく、黒輝度の上昇を抑えたパネルの駆動方法を実現することができる。
【発明の効果】
【００１５】
本発明によれば、キセノン分圧が高く発光効率の高いパネルであっても安定した書込みが可能となるパネルの駆動方法を提供することができる。
【発明を実施するための最良の形態】
【００１６】
以下、本発明の一実施の形態におけるパネルの駆動方法について、図面を用いて説明する。
【００１７】
（実施の形態１）
図１は本発明の実施の形態１に用いるパネルの要部を示す斜視図である。パネル１は、ガラス製の前面基板２と背面基板３とを対向配置して、その間に放電空間を形成するように構成されている。前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。また、背面基板３上には絶縁体層８で覆われた複数のデータ電極９が付設され、データ電極９の間の絶縁体層８上にデータ電極９と平行して隔壁１０が設けられている。また、絶縁体層８の表面および隔壁１０の側面に蛍光体１１が設けられている。そして、走査電極４および維持電極５とデータ電極９とが交差する方向に前面基板２と背面基板３とを対向配置しており、その間に形成される放電空間には、放電ガスとして、たとえばネオンとキセノンの混合ガスが封入されている。キセノン分圧は、要求される輝度に応じて、約５％から２０％の間に設定されている。
【００１８】
図２は本発明の実施の形態１におけるパネルの電極配列図である。行方向にｎ本の走査電極ＳＣＮ１〜ＳＣＮｎ（図１の走査電極４）およびｎ本の維持電極ＳＵＳ１〜ＳＵＳｎ（図１の維持電極５）が交互に配列され、列方向にｍ本のデータ電極Ｄ１〜Ｄｍ（図１のデータ電極９）が配列されている。そして、１対の走査電極ＳＣＮｉおよび維持電極ＳＵＳｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１９】
図３は本発明の実施の形態１におけるパネルの駆動方法を用いたプラズマディスプレイ装置の構成図である。このプラズマディスプレイ装置は、パネル１、データ電極駆動回路１２、走査電極駆動回路１３、維持電極駆動回路１４、タイミング発生回路１５、ＡＤ（アナログ・デジタル）変換器１８、走査数変換部１９、サブフィールド変換部２０および電源回路（図示せず）を備えている。
【００２０】
図３において、画像信号ＶＤはＡＤ変換器１８に入力される。また、水平同期信号Ｈおよび垂直同期信号Ｖはタイミング発生回路１５、ＡＤ変換器１８、走査数変換部１９、サブフィールド変換部２０に与えられる。ＡＤ変換器１８は、画像信号ＶＤをデジタル信号の画像データに変換し、その画像データを走査数変換部１９に与える。走査数変換部１９は、画像データをパネル１の画素数に応じた画像データに変換し、サブフィールド変換部２０に与える。サブフィールド変換部２０は、各画素の画像データを複数のサブフィールドに対応する複数のビットに分割し、サブフィールド毎の画像データをデータ電極駆動回路１２に出力する。データ電極駆動回路１２は、サブフィールド毎の画像データを各データ電極Ｄ１〜Ｄｍに対応する信号に変換し各データ電極を駆動する。
【００２１】
タイミング発生回路１５は、水平同期信号Ｈおよび垂直同期信号Ｖをもとにしてタイミング信号を発生し、各々走査電極駆動回路１３および維持電極駆動回路１４に与える。走査電極駆動回路１３は、タイミング信号に基づいて走査電極ＳＣＮ１〜ＳＣＮｎに駆動波形を供給し、維持電極駆動回路１４は、タイミング信号に基づいて維持電極ＳＵＳ１〜ＳＵＳｎに駆動波形を供給する。ここで、タイミング発生回路１５はパネルのキセノン分圧に基づいて駆動波形を制御する。具体的には後述するように、キセノン分圧に基づいて１フィールドを構成する各々のサブフィールドの初期化動作を全セル初期化か選択初期化かのいずれかに決定して、１フィールド内の全セル初期化動作の回数を設定する。
【００２２】
つぎに、パネルを駆動するための駆動波形とその動作について説明する。図４は本発明の実施の形態１におけるパネルの各電極に印加する駆動波形図であり、全セル初期化動作を行う初期化期間を有するサブフィールド（以下、全セル初期化サブフィールドと略記する）と選択初期化動作を行う初期化期間を有するサブフィールド（以下、選択初期化サブフィールドと略記する）に対する駆動波形図である。図４は説明のため第１サブフィールドを全セル初期化サブフィールド、第２サブフィールドを選択初期化サブフィールドとして示している。
【００２３】
まず、全セル初期化サブフィールドの駆動波形とその動作について説明する。
【００２４】
初期化期間では、データ電極Ｄ１〜Ｄｍおよび維持電極ＳＵＳ１〜ＳＵＳｎを０（Ｖ）に保持し、走査電極ＳＣＮ１〜ＳＣＮｎに対して放電開始電圧以下となる電圧Ｖｐ（Ｖ）から、放電開始電圧を超える電圧Ｖｒ（Ｖ）に向かって緩やかに上昇するランプ電圧を印加する。すると、全ての放電セルにおいて１回目の微弱な初期化放電を起こし、走査電極ＳＣＮ１〜ＳＣＮｎ上に負の壁電圧が蓄えられるとともに、維持電極ＳＵＳ１〜ＳＵＳｎ上およびデータ電極Ｄ１〜Ｄｍ上に正の壁電圧が蓄えられる。ここで、電極上の壁電圧とは、電極を覆う誘電体層あるいは蛍光体層上に蓄積した壁電荷により生じる電圧をあらわす。その後、維持電極ＳＵＳ１〜ＳＵＳｎを正の電圧Ｖｈ（Ｖ）に保ち、走査電極ＳＣＮ１〜ＳＣＮｎに電圧Ｖｇ（Ｖ）から電圧Ｖａ（Ｖ）に向かって緩やかに下降するランプ電圧を印加する。すると、全ての放電セルにおいて２回目の微弱な初期化放電を起こし、走査電極ＳＣＮ１〜ＳＣＮｎ上の壁電圧と維持電極ＳＵＳ１〜ＳＵＳｎ上の壁電圧との電圧差が弱められ、データ電極Ｄ１〜Ｄｍ上の壁電圧も書込み動作に適した値に調整される。このように、全セル初期化サブフィールドの初期化動作は、全ての放電セルにおいて初期化放電させる全セル初期化動作である。
【００２５】
続く書込み期間では、走査電極ＳＣＮ１〜ＳＣＮｎを一旦Ｖｓ（Ｖ）に保持する。つぎに、データ電極Ｄ１〜Ｄｍのうち、１行目に表示すべき放電セルのデータ電極Ｄｋに正の書込みパルス電圧Ｖｗ（Ｖ）を印加するとともに、１行目の走査電極ＳＣＮ１に走査パルス電圧Ｖｂ（Ｖ）を印加する。このとき、データ電極Ｄｋと走査電極ＳＣＮ１との交差部の電圧は、外部印加電圧（Ｖｗ−Ｖｂ）にデータ電極Ｄｋ上の壁電圧および走査電極ＳＣＮ１上の壁電圧の大きさが加算されたものとなり、放電開始電圧を超える。そして、データ電極Ｄｋと走査電極ＳＣＮ１との間および維持電極ＳＵＳ１と走査電極ＳＣＮ１との間に書込み放電が起こり、この放電セルの走査電極ＳＣＮ１上に正の壁電圧が蓄積され、維持電極ＳＵＳ１上に負の壁電圧が蓄積され、データ電極Ｄｋ上にも負の壁電圧が蓄積される。このようにして、１行目に表示すべき放電セルで書込み放電を起こして各電極上に壁電圧を蓄積する書込み動作が行われる。一方、正の書込みパルス電圧Ｖｗ（Ｖ）を印加しなかったデータ電極と走査電極ＳＣＮ１との交差部の電圧は放電開始電圧を超えないので、書込み放電は発生しない。以上の書込み動作をｎ行目の放電セルに至るまで順次行い、書込み期間が終了する。
【００２６】
続く維持期間では、まず、維持電極ＳＵＳ１〜ＳＵＳｎを０（Ｖ）に戻し、走査電極ＳＣＮ１〜ＳＣＮｎに正の維持パルス電圧Ｖｍ（Ｖ）を印加する。このとき、書込み放電を起こした放電セルにおいては、走査電極ＳＣＮｉ上と維持電極ＳＵＳｉ上との間の電圧は、維持パルス電圧Ｖｍ（Ｖ）に、走査電極ＳＣＮｉ上および維持電極ＳＵＳｉ上の壁電圧の大きさが加算されたものとなり放電開始電圧を超える。そして、走査電極ＳＣＮｉと維持電極ＳＵＳｉとの間に維持放電が起こり、走査電極ＳＣＮｉ上に負の壁電圧が蓄積され、維持電極ＳＵＳｉ上に正の壁電圧が蓄積される。このときデータ電極Ｄｋ上にも正の壁電圧が蓄積される。書込み期間において書込み放電が起きなかった放電セルでは維持放電は発生せず、初期化期間の終了時における壁電圧状態が保持される。続いて、走査電極ＳＵＳ１〜ＳＵＳｎを０（Ｖ）に戻し、維持電極ＳＵＳ１〜ＳＵＳｎに正の維持パルス電圧Ｖｍ（Ｖ）を印加する。すると、維持放電を起こした放電セルでは、維持電極ＳＵＳｉ上と走査電極ＳＣＮｉ上との間の電圧は放電開始電圧を超えるので、再び維持電極ＳＵＳｉと走査電極ＳＣＮｉとの間に維持放電が起こり、維持電極ＳＵＳｉ上に負の壁電圧が蓄積され走査電極ＳＣＮｉ上に正の壁電圧が蓄積される。以降同様に、走査電極ＳＣＮ１〜ＳＣＮｎと維持電極ＳＵＳ１〜ＳＵＳｎとに交互に維持パルスを印加することにより、書込み期間において書込み放電を起こした放電セルでは維持放電が継続して行われる。なお、維持期間の最後には走査電極ＳＣＮ１〜ＳＣＮｎと維持電極ＳＵＳ１〜ＳＵＳｎとの間にいわゆる細幅パルスを印加して、データ電極Ｄｋ上の正の壁電荷を残したまま、走査電極ＳＣＮ１〜ＳＣＮｎおよび維持電極ＳＵＳ１〜ＳＵＳｎ上の壁電圧を消去している。こうして維持期間における維持動作が終了する。
【００２７】
続いて選択初期化サブフィールドの駆動波形とその動作について説明する。
【００２８】
初期化期間では、維持電極ＳＵＳ１〜ＳＵＳｎをＶｈ（Ｖ）に保持し、データ電極Ｄ１〜Ｄｍを０（Ｖ）に保持し、走査電極ＳＣＮ１〜ＳＣＮｎにＶｑ（Ｖ）からＶａ（Ｖ）に向かって緩やかに下降するランプ電圧を印加する。すると前のサブフィールドの維持期間で維持放電を行った放電セルでは、微弱な初期化放電が発生し、走査電極ＳＣＮｉ上と維持電極ＳＵＳｉ上との壁電圧差が弱められ、データ電極Ｄｋ上の壁電圧も書込み動作に適した値に調整される。一方、前のサブフィールドで書込み放電および維持放電を行わなかった放電セルについては放電することはなく、前のサブフィールドの初期化期間終了時における壁電荷状態がそのまま保たれる。このように、選択初期化サブフィールドの初期化動作は、前のサブフィールドで維持放電を行った放電セルにおいて初期化放電させる選択初期化動作である。
【００２９】
書込み期間および維持期間については全セル初期化サブフィールドの書込み期間および維持期間と同様であるため説明を省略する。
【００３０】
つぎに、本発明の駆動方法のサブフィールド構成について説明する。本実施の形態においては、１フィールドが１１のサブフィールドで構成され、各サブフィールドの輝度重みはそれぞれ（１，２，３，７，１１，１４，２３，３７，３９，５７，６１）であるものとして説明するが、サブフィールド数や各サブフィールドの輝度重みが上記以外の値に限定されるものではない。
【００３１】
図５は、本発明の実施の形態１におけるパネルの駆動方法のサブフィールド構成を示す図であり、キセノン分圧に基づいてサブフィールド構成を設定している。図５（ａ）は、キセノン分圧が７％未満のパネルに使用する構成であり、第１ＳＦの初期化期間のみ全セル初期化動作を行い、第２ＳＦ〜第１１ＳＦの初期化期間は選択初期化動作を行うサブフィールド構成である。図５（ｂ）は、キセノン分圧が７〜１０％パネルに使用する構成であり、第１ＳＦおよび第４ＳＦの初期化期間が全セル初期化期間、第２ＳＦ、第３ＳＦと第５ＳＦ〜第１１ＳＦの初期化期間は選択初期化期間であるサブフィールド構成となっている。図５（ｃ）は、キセノン分圧が１０〜１６％のパネルに使用する構成であり、第１ＳＦ、第４ＳＦ、第１０ＳＦの初期化期間は全セル初期化期間、第２ＳＦ、第３ＳＦ、第５ＳＦ〜第９ＳＦ、第１１ＳＦの初期化期間は選択初期化期間であるサブフィールド構成となっている。図５（ｄ）は、キセノン分圧が１６〜２０％のパネルに使用する構成であり、第１ＳＦ、第４ＳＦ、第８ＳＦ、第１０ＳＦの初期化期間は全セル初期化期間、第２ＳＦ、第３ＳＦ、第５ＳＦ〜第７ＳＦ、第９ＳＦ、第１１ＳＦの初期化期間は選択初期化期間であるサブフィールド構成となっている。図５（ｅ）は、キセノン分圧が２０％以上のパネルに使用する構成であり、第１ＳＦ、第４ＳＦ、第６ＳＦ、第８ＳＦ、第１０ＳＦの初期化期間は全セル初期化期間、第２ＳＦ、第３ＳＦ、第５ＳＦ、第７ＳＦ、第９ＳＦ、第１１ＳＦの初期化期間は選択初期化期間であるサブフィールド構成となっている。表１に上述のサブフィールド構成とキセノン分圧との関係を示した。
【００３２】
【表１】
2006195328.tif 000003
【００３３】
このように本発明の実施の形態１のパネルの駆動方法はパネルのキセノン分圧が低いと全セル初期化動作の回数が少なくなるようにサブフィールド構成を設定している。
【００３４】
フィールドあたりの全セル初期化動作の回数はキセノン分圧に依存して決定するが、全セル初期化動作を行うサブフィールドの位置を決定するに当たっては様々な形態が考えられる。しかし、書込み動作のための壁電荷の形成およびプライミングの発生という全セル初期化動作の働きを考慮すると、全セル初期化期間を有するサブフィールドは分散して配置することが望ましく、これらのサブフィールドを連続して配置しないことが特に望ましい。表１において全セル初期化期間を第１１ＳＦではなく第１０ＳＦに配置したのは、つぎのフィールドの第１ＳＦと連続して配置するのを避けるためである。
【００３５】
加えて本実施の形態においては、全セル初期化動作を行う初期化期間を有するサブフィールドを１フィールド期間の中央部の期間に比べて１フィールド期間の初期または後期の期間に優先的に配置している。すなわち、表１に示したように、全セル初期化動作の回数を５回から１回に順次減らしてゆく場合に、中央部の第６ＳＦから減らしはじめ、順次第８ＳＦ、第１０ＳＦ、第４ＳＦの順序で減らしている。全セル初期化期間を減らす位置は、画像表示品質上最も影響の少ない全セル初期化期間から順に減らすべきであるが、これは各サブフィールドに対する輝度の重み付けやコーディング（各階調に対する点灯サブフィールドの割り付け方）方法に依存している。本実施の形態のように重み付けが昇順であり、前詰めコーディングのときは１フィールドの中央部に位置するサブフィールドの全セル初期化から減らすことが望ましい。また、第１ＳＦの全セル初期化が画像表示品質に大きく影響するが、その理由は、暗い画像を表示する場合に先頭のサブフィールドから確実に書込みを行う必要があり、そのためのプライミングが重要となるためである。また、後ろ側のサブフィールドの全セル初期化も画像表示品質上重要であるが、これは、輝度重みの大きいサブフィールドで周囲の放電セルが点灯した場合、過剰なプライミングによって非点灯放電セルの壁電荷が中和され、続くサブフィールドでの書込み動作が不安定になるのを防ぐためである。
【００３６】
このように、本発明の実施の形態においては、キセノン分圧の高いパネルに対しては放電遅れが長くなる傾向があるので、全セル初期化回数を増やしプライミングを増やすことによって放電遅れを短くし書込み放電の安定化を図っている。逆に、キセノン分圧の低いパネルに対しては黒の放電遅れが短いと考えられるため全セル初期化回数を減らし、黒表示品質を向上している。
【００３７】
なお、本実施の形態においては、１フィールドを１１のサブフィールドで構成し、全セル初期化回数を１〜５回に設定する例について説明したが、本発明はこれに限定されるものではない。表２、表３に他の例を示す。
【００３８】
【表２】
2006195328.tif 000004
【００３９】
【表３】
2006195328.tif 000005
【００４０】
表２には全セル初期化回数を１〜４回の範囲で制御し、全セル初期化を行うサブフィールドも変化させた例を示した。また、表３には全セル初期化回数を１〜３回の範囲で制御し、先頭に近いサブフィールドの初期化を優先する例を示した。このように、キセノン分圧が低いときは全セル初期化動作を行う初期化期間を有するサブフィールドの数を減らし、キセノン分圧が高いときは全セル初期化動作を行う初期化期間を有するサブフィールドの数を増やすことによって、キセノン分圧が高く発光効率の高いパネルであっても安定した書込みが可能となるパネルの駆動方法を実現することができる。
【００４１】
（実施の形態２）
実施の形態２に用いるパネルの構造および電極配列については実施の形態１と同様であるため説明を省略する。実施の形態２が実施の形態１と異なる点は、１フィールド内の全セル初期化動作の回数を、キセノン分圧だけでなく表示すべき画像信号のＡＰＬにも依存して制御する点である。
【００４２】
図６は本発明の実施の形態２におけるパネルの駆動方法を用いたプラズマディスプレイ装置の構成図である。実施の形態１と同様の回路には同一の符号を付して説明を省略する。このプラズマディスプレイ装置は、図３に示した構成に加えて、ＡＰＬ（アベレージ・ピクチャ・レベル）検出部３０を備えている。ＡＰＬ検出部３０はデジタル信号の画像データを入力し、その画像データの平均輝度レベルを検出する。
【００４３】
タイミング発生回路１５は、水平同期信号Ｈおよび垂直同期信号Ｖをもとにしてタイミング信号を発生し、各々走査電極駆動回路１３および維持電極駆動回路１４に与える。ここで、タイミング発生回路１５はパネルのキセノン分圧に基づいて駆動波形を設定するだけでなくＡＰＬ検出部３０から出力されるＡＰＬに基づいて、１フィールドを構成する各々のサブフィールドの初期化動作を全セル初期化か選択初期化かのいずれかに決定して、１フィールド内の全セル初期化動作の回数を設定する。
【００４４】
表４は実施の形態２におけるキセノン分圧およびＡＰＬと全セル初期化回数の関係の一例を示す表である。
【００４５】
【表４】
2006195328.tif 000006
【００４６】
このように、キセノン分圧が７％未満のパネルに対しては、ＡＰＬの値にかかわらず初期化回数を切替えない。キセノン分圧が７〜１０％のパネルに対してはＡＰＬの値に基づいて全セル初期化回数を１回または２回に切替えている。キセノン分圧が１０〜１６％のパネルに対してはＡＰＬの値に基づいて全セル初期化回数を１回から３回まで切替えている。また、キセノン分圧が１６〜２０％のパネルに対してはＡＰＬの値に基づいて全セル初期化回数を１回から４回まで切替えている。さらに、キセノン分圧が２０％以上のパネルに対しては全セル初期化回数を１回から５回まで切替えている。
【００４７】
このように、キセノン分圧が高いときは全セル初期化動作を増やし、キセノン分圧が低いときは全セル初期化動作を減らすだけでなく、ＡＰＬが高いときは全セル初期化動作を増やし、ＡＰＬが低いときは全セル初期化動作を減らしている。これにより、キセノン分圧が高く発光効率の高いパネルであっても安定した書込みが可能となるだけでなく、黒輝度の上昇を抑えたパネルの駆動方法を実現することができる。
【産業上の利用可能性】
【００４８】
本発明のパネルの駆動方法は、キセノン分圧が高く発光効率の高いパネルであっても安定した書込みが可能であり、かつ黒輝度の上昇を抑えたパネルの駆動が可能となり、パネルを用いた画像表示装置等として有用である。
【図面の簡単な説明】
【００４９】
【図１】本発明の実施の形態１に用いるパネルの要部を示す斜視図
【図２】同パネルの電極配列図
【図３】同パネルの駆動方法を用いたプラズマディスプレイ装置の構成図
【図４】同パネルの各電極に印加する駆動波形図
【図５】同パネルの駆動方法のサブフィールド構成を示す図
【図６】本発明の実施の形態２におけるパネルの駆動方法を用いたプラズマディスプレイ装置の構成図
【図７】従来のパネルの駆動波形図
【符号の説明】
【００５０】
１    パネル
２    前面基板
３    背面基板
４    走査電極
５    維持電極
９    データ電極
１５    タイミング発生回路
３０    ＡＰＬ検出部
【図１】
2006195328.tif 000007
【図２】
2006195328.tif 000008
【図３】
2006195328.tif 000009
【図４】
2006195328.tif 000010
【図５】
2006195328.tif 000011
【図６】
2006195328.tif 000012
【図７】
2006195328.tif 000013